(57)【要約】【課題】電線を無理に屈曲させずに、緩やかに湾曲させた状態でしっかりと固定することができ、電線に負担をかけないストレインリリーフ構造を実現することができる電線係止装置を提供すること。【解決手段】コネクタハウジング５から導出した前記電線６を係止する電線係止装置４であって、コネクタハウジング５から導出した電線６を引き入れる電線導入溝４１２と、電線６を巻き付け可能な支柱部４１３と、支柱部４１３に巻き付けた電線６を螺旋状の周回形状に保持する電線ガイド溝４１４と、電線６を外部に導出させる電線導出溝４１５と、を備えて電線６を上方から挿通可能な係止装置本体４１と、係止装置本体４１の上に組み付けられて、係止装置本体４１に配索された電線６の上を覆う係止装置カバー４２と、を備える。【選択図】図２
2016076295.tif 000002
【特許請求の範囲】
【請求項１】
コネクタハウジングの一端に組み付けられて、前記コネクタハウジングから導出した電線に作用する張力が前記コネクタハウジング内の端子金具に伝達されないように、前記コネクタハウジングから導出した前記電線を係止する電線係止装置であって、
前記コネクタハウジングから導出した前記電線を引き入れる電線導入溝と、前記電線導入溝から引き入れた前記電線を巻き付け可能な支柱部と、前記支柱部の外周を周回する螺旋状に設けられて前記支柱部に巻き付けた前記電線を螺旋状の周回形状に保持する電線ガイド溝と、前記電線ガイド溝を通った前記電線を外部に導出させる電線導出溝と、を備えて、前記電線を上方から前記電線導入溝及び前記電線ガイド溝及び前記電線導出溝に挿通可能な係止装置本体と、
前記係止装置本体の上に組み付けられて、前記係止装置本体に配索された前記電線の上を覆う係止装置カバーと、
を備えたことを特徴とする電線係止装置。
【請求項２】
前記係止装置カバーを、前記係止装置本体の上面を開閉可能に、前記係止装置本体に結合する薄肉ヒンジ部を備えたことを特徴とする請求項１に記載の電線係止装置。
【請求項３】
前記係止装置本体に装備されて、前記コネクタハウジングに装備された係止装置連結部との係合により前記係止装置本体を前記コネクタハウジングに結合するハウジング係合部を備えたことを特徴とする請求項１又は２に記載の電線係止装置。
【請求項４】
前記電線は、アルミ電線又はアルミ合金電線であることを特徴とする請求項１〜３のいずれか１項に記載の電線係止装置。
【発明の詳細な説明】
【技術分野】
【０００１】
本発明は、コネクタハウジングの一端に組み付けられて、コネクタハウジングから導出した電線を係止する電線係止装置に関する。
【背景技術】
【０００２】
図４は、下記特許文献１に開示された電線係止装置を示している。
この電線係止装置１００は、コネクタハウジング２００の一端に組み付けられて、コネクタハウジング２００から導出した電線２１０を複数の屈曲部２１０ａ，２１０ｂ，２１０ｃを有する形状に係止することで、電線２１０に作用する張力がコネクタハウジング２００内の端子金具２２０に伝達されることを防止するストレインリリーフ構造を実現している。
【０００３】
特許文献１の電線係止装置１００は、図４の矢印Ｘ１に沿って、コネクタハウジング２００の後端に押し込むことで、コネクタハウジング２００に結合される。
【先行技術文献】
【特許文献】
【０００４】
【特許文献１】特開２０１０−９２６６３号公報
【発明の概要】
【発明が解決しようとする課題】
【０００５】
ところが、特許文献１の電線係止装置１００は、電線２１０を急激な曲げ角度で屈曲させて電線を保持するため、電線２１０の屈曲部２１０ａ，２１０ｂ，２１０ｃに過大な曲げ荷重が作用し、電線２１０の芯線（導体）が過度の曲げ応力でダメージを受けるおそれがあった。
【０００６】
特に、電線２１０の芯線が、曲げに弱いアルミニウム製又はアルミニウム合金製の場合には、電線係止装置１００による屈曲によって芯線が受けるダメージが大きく、最悪の場合には、電線係止装置１００による屈曲によって芯線切れが発生するおそれがあった。
【０００７】
そこで、本発明の目的は、上記課題を解消することに係り、電線を無理に屈曲させずに、緩やかに湾曲させた状態でしっかりと固定することができ、電線に負担をかけないストレインリリーフ構造を実現することができる電線係止装置を提供することにある。
【課題を解決するための手段】
【０００８】
本発明の前述した目的は、下記の構成により達成される。
（１）  コネクタハウジングの一端に組み付けられて、前記コネクタハウジングから導出した電線に作用する張力が前記コネクタハウジング内の端子金具に伝達されないように、前記コネクタハウジングから導出した前記電線を係止する電線係止装置であって、
前記コネクタハウジングから導出した前記電線を引き入れる電線導入溝と、前記電線導入溝から引き入れた前記電線を巻き付け可能な支柱部と、前記支柱部の外周を周回する螺旋状に設けられて前記支柱部に巻き付けた前記電線を螺旋状の周回形状に保持する電線ガイド溝と、前記電線ガイド溝を通った前記電線を外部に導出させる電線導出溝と、を備えて、前記電線を上方から前記電線導入溝及び前記電線ガイド溝及び前記電線導出溝に挿通可能な係止装置本体と、
前記係止装置本体の上に組み付けられて、前記係止装置本体に配索された前記電線の上を覆う係止装置カバーと、
を備えたことを特徴とする電線係止装置。
【０００９】
（２）  前記係止装置カバーを、前記係止装置本体の上面を開閉可能に、前記係止装置本体に結合する薄肉ヒンジ部を備えたことを特徴とする上記（１）に記載の電線係止装置。
【００１０】
（３）  前記係止装置本体に装備されて、前記コネクタハウジングに装備された係止装置連結部との係合により前記係止装置本体を前記コネクタハウジングに結合するハウジング係合部を備えたことを特徴とする上記（１）又は（２）に記載の電線係止装置。
【００１１】
（４）  前記電線は、アルミ電線又はアルミ合金電線であることを特徴とする上記（１）〜（３）のいずれかに記載の電線係止装置。
【００１２】
上記（１）の構成によれば、コネクタハウジングの一端に組み付けられた係止装置本体には、コネクタハウジングから導出した電線を、前記係止装置本体の上方から、電線導入溝及び電線ガイド溝及び電線導出溝に順に挿通させることで、簡単に電線を組み付けることができる。また、電線を組付け後に、係止装置本体の上に係止装置カバーを組み付けると、係止装置本体に収容された電線の上が係止装置カバーで覆われて、係止装置本体に収容された電線が保護される。
【００１３】
即ち、コネクタハウジングから導出した電線は、簡単に係止装置本体に挿通することができ、また、係止装置カバーにより保護される。
【００１４】
また、係止装置本体に組み付けられた電線は、螺旋状に係止装置本体内の支柱部を周回して、電線導出溝から外部に導出されている。そのため、電線係止装置から導出した電線に張力や振動がかかると、電線は係止装置本体内の支柱部を締め付けて、電線に作用する張力を支柱部が受ける。
【００１５】
即ち、電線が巻き付く係止装置本体内の支柱部が、張力がかかった電線を係止し、電線に作用している張力を受けて、電線に作用する張力や振動が端子金具や端子金具を係止しているコネクタハウジング内の端子係止部に作用することを防止するストレインリリーフ構造を実現する。
【００１６】
そして、係止装置本体内の支柱部への巻き付きによる電線の係止は、電線を緩やかに湾曲させた状態でしっかりと固定することができ、電線に急角度の折曲が形成されないため、電線の芯線に過大な曲げ応力が作用することがなく、電線に負担をかけないストレインリリーフ構造を実現することができる。
【００１７】
上記（２）の構成によれば、電線係止装置を構成する係止装置本体と係止装置カバーとが薄肉ヒンジ部により繋がっているため、電線係止装置を単一部品とすることができ、電線係止装置の部品管理を容易にすることができる。
【００１８】
上記（３）の構成によれば、係止装置本体は、当該係止装置本体に装備されているハウジング係合部をコネクタハウジングに装備されている係止装置連結部に係合させることでコネクタハウジングに結合することができ、係止装置本体のコネクタハウジングへの取り付けを容易にすることができる。
【００１９】
上記（４）の構成によれば、電線係止装置が係止する電線が、曲げに弱いアルミ電線又はアルミ合金電線でも、電線係止装置内での電線の係止は電線を緩やかな湾曲状態に支柱部に巻き付けることで行っており、電線に急激な折曲部を形成しないため、電線の芯線切れを防止することができる。
【００２０】
即ち、コネクタハウジングから導出する電線がアルミ電線又はアルミ合金電線の場合でも、安全に電線を係止するストレインリリーフ構造を実現することができる。
【発明の効果】
【００２１】
本発明による電線係止装置によれば、電線を無理に屈曲させずに、緩やかに湾曲させた状態でしっかりと固定することができ、電線に負担をかけないストレインリリーフ構造を実現することができる。
【００２２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２３】
【図１】本発明に係る電線係止装置の一実施形態の斜視図である。
【図２】図１に示した電線係止装置の係止装置カバーを開いて、係止装置本体内の電線の配索状態を示した斜視図である。
【図３】図２に示した電線係止装置の、電線を配索する前の状態を示す斜視図である。
【図４】従来の電線係止装置の縦断面図である。
【発明を実施するための形態】
【００２４】
以下、本発明に係る電線係止装置の好適な実施形態について、図面を参照して詳細に説明する。
【００２５】
図１〜図３は本発明に係る電線係止装置の一実施形態を示したもので、図１は本発明の一実施形態の電線係止装置の斜視図、図２は図１に示した電線係止装置の係止装置カバーを開いて、係止装置本体内の電線の配索状態を示した斜視図、図３は図２に示した電線係止装置の、電線を配索する前の状態を示す斜視図である。
【００２６】
この一実施形態の電線係止装置４は、コネクタハウジング５の一端５ａに組み付けられて、コネクタハウジング５から導出した電線６に作用する張力や振動がコネクタハウジング５内の端子金具に伝達されないように、コネクタハウジング５から導出した電線６を係止する。
【００２７】
コネクタハウジング５は、図２に示すように、電線６を導出する一端５ａに、電線係止装置４を結合するための係止装置連結部５１が装備されている。この係止装置連結部５１は、コネクタハウジング５の一端５ａの側面の上端寄りの位置から下方（矢印Ｚ１方向）に向かって延出した係止片である。
【００２８】
電線係止装置４は、図２に示すように、コネクタハウジング５の係止装置連結部５１に係合するハウジング係合部４１１を有してコネクタハウジング５の一端に結合される係止装置本体４１と、この係止装置本体４１の上面を覆う係止装置カバー４２と、係止装置カバー４２を回動可能に係止装置本体４１に結合した薄肉ヒンジ部４３と、を備えている。
【００２９】
係止装置本体４１に装備されたハウジング係合部４１１は、図３に示すように、係止装置連結部５１が嵌合する凹部で、図３の矢印Ｚ１に示すように、上方から係止装置連結部５１を差し込むことで、係止装置連結部５１を係止し、係止装置本体４１とコネクタハウジング５とを結合状態にする。
【００３０】
係止装置本体４１は、図３に示すように、電線導入溝４１２と、支柱部４１３と、電線ガイド溝４１４と、電線導出溝４１５と、第１〜第３のカバー係止部４１６，４１７，４１８と、を備えている。
【００３１】
電線導入溝４１２は、図２に示すように、コネクタハウジング５から導出した電線６を引き入れる溝で、上方に開放しており、上方から電線６を割り込ませることができる。
【００３２】
支柱部４１３は、係止装置本体４１の底部から上方に突出した柱で、図２に示すように、電線導入溝４１２から引き入れた電線６を、上方から巻き付け可能である。電線６は、図２では、反時計回りに、支柱部４１３に巻き付けられる。
【００３３】
電線ガイド溝４１４は、支柱部４１３の外周を周回する螺旋状に設けられた溝であり、図２に示すように、支柱部４１３に巻き付けた電線６を螺旋状の周回形状に保持する。この電線ガイド溝４１４も、上方から電線６を割り込ませることができる。
【００３４】
電線導出溝４１５は、図２に示すように、電線ガイド溝４１４を通った電線６を外部に導出させる溝で、上方に開放しており、上方から電線６を割り込ませることができる。
【００３５】
以上に説明した電線導入溝４１２、電線ガイド溝４１４、電線導出溝４１５は、何れも上方に開放しているため、コネクタハウジング５から導出した電線６は、図２に示すように、上方から電線導入溝４１２及び電線ガイド溝４１４及び電線導出溝４１５に挿通可能である。
【００３６】
第１〜第３のカバー係止部４１６，４１７，４１８は、係止装置カバー４２に装備された第１〜第３のロック突起４２６，４２７，４２８と係合することで、係止装置本体４１の上面に被せられた係止装置カバー４２を係止装置本体４１に固定する。
【００３７】
第１のカバー係止部４１６は、薄肉ヒンジ部４３の付近に装備されており、係止装置カバー４２の第１のロック突起４２６と係合する。
【００３８】
第２の電線係止部４１７と第３の電線係止部４１８は、電線導出溝４１５の両側に装備されていて、係止装置カバー４２の第２のロック突起４２７と第３のロック突起４２８とが係合する。
【００３９】
係止装置カバー４２は、薄肉ヒンジ部４３による回動により、係止装置本体４１の上面を開閉可能に覆う。係止装置カバー４２は、図２に示すように電線６を配索した係止装置本体４１の上に被せると、ハウジング係合部４１１と対向する縁部４２１が、コネクタハウジング５の係止装置連結部５１の上を覆い、縁部４２１とハウジング係合部４１１とで係止装置連結部５１を挟持した構造になる。そして、係止装置カバー４２は、係止装置本体４１の上面を覆った状態では、当該係止装置カバー４２に装備された第１〜第３のロック突起４２６，４２７，４２８が係止装置本体４１の第１〜第３のカバー係止部４１６，４１７，４１８に係合して、係止装置本体４１の上面に固定される。
【００４０】
本実施形態の場合、電線６は、芯線がアルミニウム製のアルミ電線である。
【００４１】
以上に説明した一実施形態の電線係止装置４の場合、コネクタハウジング５の一端５ａに組み付けられた係止装置本体４１には、図２に示したように、コネクタハウジング５から導出した電線６を、係止装置本体４１の上方から、電線導入溝４１２及び電線ガイド溝４１４及び電線導出溝４１５に順に挿通させることで、簡単に電線６を組み付けることができる。
【００４２】
また、電線６を組付け後に、係止装置本体４１の上に係止装置カバー４２を組み付けると、図１に示したように、係止装置本体４１に収容された電線６の上が係止装置カバー４２で覆われて、係止装置本体４１に収容された電線６が保護される。
【００４３】
即ち、コネクタハウジング５から導出した電線６は、簡単に係止装置本体４１に挿通することができ、また、係止装置カバー４２により保護される。
【００４４】
また、係止装置本体４１に組み付けられた電線６は、図２に示したように、螺旋状に係止装置本体４１内の支柱部４１３を周回して、電線導出溝４１５から外部に導出されている。そのため、電線係止装置４から導出した電線６に張力がかかると、電線６は係止装置本体４１内の支柱部４１３を締め付けて、電線６に作用する張力を支柱部４１３が受ける。
【００４５】
即ち、電線６が巻き付く係止装置本体４１内の支柱部４１３が、張力がかかった電線６を係止し、電線６に作用している張力を受けて、電線６に作用する張力が端子金具や端子金具を係止しているコネクタハウジング５内の端子係止部に作用することを防止するストレインリリーフ構造を実現する。
【００４６】
そして、係止装置本体４１内の支柱部４１３への巻き付きによる電線６の係止は、電線６を緩やかに湾曲させた状態でしっかりと固定することができ、電線６に急角度の折曲が形成されないため、電線６の芯線に過大な曲げ応力が作用することがなく、電線６に負担をかけないストレインリリーフ構造を実現することができる。
【００４７】
また、一実施形態の電線係止装置４の場合、電線係止装置４を構成する係止装置本体４１と係止装置カバー４２とが薄肉ヒンジ部４３により繋がっているため、電線係止装置４を単一部品とすることができ、電線係止装置４の部品管理を容易にすることができる。
【００４８】
また、一実施形態の電線係止装置４の場合、係止装置本体４１は、当該係止装置本体４１に装備されているハウジング係合部４１１をコネクタハウジング５に装備されている係止装置連結部５１に係合させることでコネクタハウジング５に結合することができ、係止装置本体４１のコネクタハウジング５への取り付けを容易にすることができる。
【００４９】
更に、一実施形態の電線係止装置４の場合、電線係止装置４が係止する電線６が、曲げに弱いアルミ電線でも、電線係止装置４内での電線６の係止は電線６を緩やかな湾曲状態に支柱部４１３に巻き付けることで行っており、電線６に急激な折曲部を形成しないため、電線６の芯線切れを防止することができる。
【００５０】
即ち、コネクタハウジング５から導出する電線６がアルミ電線の場合でも、安全に電線６を係止するストレインリリーフ構造を実現することができる。
【００５１】
本実施形態の電線係止装置４が係止する電線６は、アルミ電線に限るものではなく、アルミ合金電線の場合でも、芯線切れの防止に有用である。又、芯線が一般的な銅線、又は銅合金の場合も、芯線切れの防止に有用である。
【００５２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５３】
ここで、上述した本発明に係る電線係止装置の実施形態の特徴をそれぞれ以下［１］〜［４］に簡潔に纏めて列記する。
【００５４】
［１］  コネクタハウジング（５）の一端（５ａ）に組み付けられて、前記コネクタハウジング（５）から導出した電線（６）に作用する張力が前記コネクタハウジング（５）内の端子金具に伝達されないように、前記コネクタハウジング（５）から導出した前記電線（６）を係止する電線係止装置（４）であって、
前記コネクタハウジング（５）から導出した前記電線（６）を引き入れる電線導入溝（４１２）と、前記電線導入溝（４１２）から引き入れた前記電線（６）を巻き付け可能な支柱部（４１３）と、前記支柱部（４１３）の外周を周回する螺旋状に設けられて前記支柱部（４１３）に巻き付けた前記電線（６）を螺旋状の周回形状に保持する電線ガイド溝（４１４）と、前記電線ガイド溝（４１４）を通った前記電線（６）を外部に導出させる電線導出溝（４１５）と、を備えて、前記電線（６）を上方から前記電線導入溝（４１２）及び前記電線ガイド溝（４１４）及び前記電線導出溝（４１５）に挿通可能な係止装置本体（４１）と、
前記係止装置本体（４１）の上に組み付けられて、前記係止装置本体（４１）に配索された前記電線（６）の上を覆う係止装置カバー（４２）と、
を備えたことを特徴とする電線係止装置（４）。
【００５５】
［２］  前記係止装置カバー（４２）を、前記係止装置本体（４１）の上面を開閉可能に、前記係止装置本体（４１）に結合する薄肉ヒンジ部（４３）を備えたことを特徴とする上記［１］に記載の電線係止装置（４）。
【００５６】
［３］  前記係止装置本体（４１）に装備されて、前記コネクタハウジング（５）に装備された係止装置連結部（５１）との係合により前記係止装置本体（４１）を前記コネクタハウジング（５）に結合するハウジング係合部（４１１）を備えたことを特徴とする上記［１］又は［２］に記載の電線係止装置（４）。
【００５７】
［４］  前記電線（６）は、アルミ電線（６）又はアルミ合金電線（６）であることを特徴とする上記［１］〜［３］のいずれかに記載の電線係止装置（４）。
【符号の説明】
【００５８】
４  電線係止装置
５  コネクタハウジング
５ａ  一端
６  電線
４１  係止装置本体
４２  係止装置カバー
４３  薄肉ヒンジ部
４１１  ハウジング係合部
４１２  電線導入溝
４１３  支柱部
４１４  電線ガイド溝
４１５  電線導出溝
【図１】
2016076295.tif 000003
【図２】
2016076295.tif 000004
【図３】
2016076295.tif 000005
【図４】
2016076295.tif 000006